(57)【要約】【課題】天井面との隙間を少なくできるシーリング型照明器具において、器具内の温度上昇を抑える。【解決手段】インバータ回路６が配されている反射板内空間９の空気を強制的にグローブ内空間１０に排出するための排気ファン１１が反射板５に取り付けられている。さらに、この取り付け部位とは違う部位に、グローブ内空間１０から反射板内空間９側へ空気を取り込む穴（通気孔１２）が設けられている。【選択図】図１
2009123503.tif 000002
【特許請求の範囲】
【請求項１】
天井面側に面するように設けられた本体部と、該本体部に固定されたインバータ回路と、該インバータ回路を覆うように前記本体部に固定された照明反射板と、照明ランプを覆うように設けられ、前記本体部に固定されたグローブと、を備えるシーリング型照明器具であって、
前記インバータ回路が配されている前記本体部と前記照明反射板の間の第１の空間部の空気と、前記照明反射板と前記グローブの間の第２の空間部の空気とを循環させて、前記第１の空間部の空気温度を冷却する冷却機構を有するシーリング型照明器具。
【請求項２】
前記冷却機構は、前記第１の空間部の空気を前記第２の空間部に排気するためのファンを含み、前記照明反射板には、前記第２の空間部から前記第１の空間部へ空気を取り込む穴が設けられていることを特徴とする請求項１に記載のシーリング型照明器具。
【発明の詳細な説明】
【技術分野】
【０００１】
本発明は、天井面に取り付けられるシーリング型照明器具に関する。
【背景技術】
【０００２】
一般的なシーリングタイプの照明器具は、図２に示すように、建築物の天井面１に設置してあるローゼット（不図示）に取り付けられる配線器具２を備える。また、照明器具の本体部３が金属からできており、配線器具２には、本体部３を保持するための保持具４が取り付けられる。本体部３はその中央部が開口しており、この開口部に配線器具２を通し、保持具４を配線器具２に係合することにより、本体部３を天井面１に面して固定することが出来る。
【０００３】
さらに本体部３には反射板５が固定され、本体部２と反射板５の間に空間が形成されている。この空間にはインバータ回路６や、配線・スイッチ類（不図示）が収納され、反射板５により外部から隠されている。反射板５の外側において複数のリング形蛍光ランプ７が本体部３に固定されている。さらに、蛍光ランプ７を覆うグローブ８が本体部３に取り付けられている。グローブ８は、本体部３の外周部に設けられた係合部と係合するように構成され、着脱可能である。
【０００４】
このような照明器具では、インバータ回路部が最も温度が高くなり、これにより器具全体の温度が上昇する。
【０００５】
インバータ回路に使用されている電気部品は、それぞれ使用環境温度による部品寿命がある。この事により、インバータ回路部周辺（反射板５の内側空間）の温度が高くなると電気部品の寿命が短くなる。
【０００６】
照明器具のインバータ回路部の温度上昇を抑える技術としては、特許文献１や特許文献２に記載されたものがある。特許文献１では、リング形蛍光ランプの内径部分に天井方向に向けて送風するプロペラファンを設け、該ファンの風を照明器具本体部と天井面との間に通して送出することで、照明器具本体部に固定されたインバータ回路部を冷却するという照明器具が示されている。一方、特許文献２では、照明器具本体部と天井面の間に送風機を設け、送風機の本体底面側から空気を吸い込んで照明器具本体部に沿って空気を流し、送風機の本体側面より空気を吹き出すことで、照明器具本体部に固定されたインバータ回路部を冷却するという照明器具が示されている。
【特許文献１】特開２００２−１２４１２４号公報
【特許文献２】特開２００２−１３０１８６号公報
【発明の開示】
【発明が解決しようとする課題】
【０００７】
近年、天井面と照明器具本体部との隙間を少なくできる、すっきりとしたデザインの薄型の照明器具が市場に提供されている。こうした照明器具では、高出力の照明になるほど内部に配されているインバータ回路部が高温になり、天井面と照明器具との隙間の温度が上昇し、インバータ回路部の部品温度への影響もより大きくなる。したがって、高出力の照明ほど照明器具の設計が難くなっていた。
【０００８】
しかし、特許文献１や２に開示された技術ではインバータ回路部の熱対策において天井面と照明器具本体部との間に、送風路を確保する空間あるいは送風機の設置スペースが必要であるため、すっきりとしたデザインになるよう照明器具を薄型化することは難しかった。
【０００９】
また、特許文献１や２に開示された照明器具では、外部から空気を吸い込んで照明器具本体部に風を送るように構成するので、照明器具内部に虫の侵入が可能となる吸込口が出来てしまう。
【００１０】
照明器具の外部から空気を吸い込む場合、当然ながら照明器具外部の空気の温度が低いため温度を下げる効果は大きくなるが、吸込口の周辺には、長期間使用した際に空気中の細かな塵埃が付着する。したがって照明器具を汚す可能性も大きい。
【００１１】
本発明は、上記のような背景技術が有する問題に鑑み、天井面との隙間を少なくできるデザインのシーリング型照明器具において、器具内の温度上昇を抑えることが出来る照明器具を提供することを目的とする。
【課題を解決するための手段】
【００１２】
本発明のシーリング型照明器具は、天井面側に面するように設けられた本体部と、該本体部に固定されたインバータ回路と、該インバータ回路を覆うように本体部に固定された照明反射板と、照明ランプを覆うように設けられ、本体部に固定されたグローブと、を備える。このようなシーリング型照明器具には、インバータ回路が配されている本体部と照明反射板の間の第１の空間部の空気と、照明反射板とグローブの間の第２の空間部の空気とを循環させて、該第１の空間部の空気温度を冷却する冷却機構が備えられている。
【発明の効果】
【００１３】
本発明によれば、天井面との隙間を少なくできるデザインのシーリング型照明器具において、器具内の温度上昇を抑えることが出来る。
【発明を実施するための最良の形態】
【００１４】
以下、本発明の実施例について図面を参照して説明する。
【００１５】
図１は本発明の一実施例によるシーリング型照明器具の構成を示した断面図である。この図において、建築物の天井面１に設置してあるローゼット（不図示）に、配線器具２が取り付けられる。配線器具２には、金属から出来ている本体部３を固定するための保持具４が取り付けられている。本体部３の中央部が開口しており、この開口部に配線器具２を通し、保持具４を配線器具２に係合することにより、本体部３を天井面１に固定することが出来る。
【００１６】
本体部３には反射板５が固定され、本体部２と反射板５の間に空間が形成されている。この空間にはインバータ回路６や、配線・スイッチ類（不図示）が収納され、反射板５により外部から隠されている。反射板５の外側において複数のリング形蛍光ランプ７が本体部３に固定されている。さらに、蛍光ランプ７を覆う半透明の樹脂等からなるグローブ８が本体部３に取り付けられている。グローブ８は、本体部３の外周部に設けられた係合部と係合するように構成され、着脱可能である。
【００１７】
図１に示すように、本体部２と反射板５の間に反射板内空間（第１の空間部）９が形成されている。また、反射板５が固定された本体部とグローブ８との間にもグローブ内空間（第２の空間部）１０が形成されている。本実施例では反射板内空間９の空気を強制的にグローブ内空間１０に排出するための排気ファン１１が反射板５に取り付けられ、この取り付け部位とは違う部位に、グローブ内空間１０から反射板内空間９側へ空気を取り込む穴（通気孔１２）が設けられている。
【００１８】
こうした構成により、反射板内空間９とグローブ内空間１０の空気を強制的に循環させることが出来る。その結果、インバータ回路６が配されているために照明器具内で最も高温となる反射板内空間９の温度を下げることが出来る。したがって、高出力の照明器具においても薄型の照明器具の設計が可能となる。
【００１９】
また、本実施例の照明器具は、照明器具内部の空気を循環するものなので、照明器具の外装となるグローブ８や本体部２などに空気を取りこむ孔を必要としない。つまり、照明器具外部から内部に虫の侵入が可能となる孔が出来ない。さらに、その事により空気中の細かな塵埃が照明器具に付着しないので照明器具が長期間の使用で汚れる可能性が小さい。
【００２０】
また、照明器具内部での閉ざされた空間において強制的に空気を循環させるため、ファン１１等の循環空気発生装置から発する騒音も和らげることが可能である。
【００２１】
以上本発明の実施例について図面をもとに説明したが、本発明の技術思想を逸脱しない範囲において、図示した構造、形に限定することなく、上記実施例を適宜変更して実施することは可能である。
【図面の簡単な説明】
【００２２】
【図１】本発明の一実施例によるシーリング型照明器具の構成図である。
【図２】本発明に関連する一般的なシーリング型照明器具の構成図であり、（ａ）は平面透視図、（ｂ）は（ａ）のＸ−Ｘ’断面図である。
【符号の説明】
【００２３】
１    天井面
２    配線器具
３    照明器具の本体部
４    保持具
５    反射板（照明反射板）
６    インバータ回路
７    蛍光ランプ
８    グローブ
９    反射板内空間（第１の空間部）
１０    グローブ内空間（第２の空間部）
１１    排気ファン
１２    通気孔
【図１】
2009123503.tif 000003
【図２】
2009123503.tif 000004